【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
第１の装置と、
前記第１の装置に通信可能に接続される第２の装置と、
を備え、
前記第１の装置が、上流装置から第１のインタフェースを介して第１のオリジナルの無線周波数信号を受信するように作動し、前記第２の装置が下流装置から第２のインタフェースを介して第２のオリジナルの無線周波数信号を受信するように作動し、
前記第２の装置が、前記第２のインタフェースを介して前記下流装置に第１の再生無線周波数信号を出力するように作動し、前記第１の再生無線周波数信号の内容が、前記第１のオリジナルの無線周波数信号から導出され、
前記第１の装置が、前記第１のインタフェースおよび第３のインタフェースのうちの１つを介して前記上流装置に第２の再生無線周波数信号を出力するように作動し、前記第２の再生無線周波数信号の内容が、前記第２のオリジナルの無線周波数信号から導出され、
前記第１のインタフェースが、前記第２の再生無線周波数信号が前記第３のインタフェースを介して出力されるときに、単信インタフェースとして動作可能であり、前記第２の再生無線周波数信号が前記第１のインタフェースを介して出力されるときに、複信インタフェースとして動作可能である、
通信システム。
【請求項２】
前記第１の装置が、
前記第１のインタフェースを介して受信される無線周波数信号を処理するように構成されたダウンリンク回路と、
前記第１のインタフェースおよび前記第３のインタフェースのうちの１つを介して出力するために信号を処理するように構成されたアップリンク回路と、
前記アップリンク回路および前記ダウンリンク回路のうちの１つに前記第１のインタフェースを接続するように構成された第１のスイッチと、
前記第１のスイッチおよび前記第３のインタフェースのうちの１つに前記アップリンク回路を接続するように構成された第２のスイッチと、
前記第１のスイッチおよび前記第２のスイッチの切り替えを制御するように構成されたスイッチ・コントローラと、
を含み、
前記第１のスイッチは、前記第２のスイッチが前記アップリンク回路を前記第３のインタフェースに接続するとき、前記第１のインタフェースを前記ダウンリンク回路のみに接続するように構成され、
前記第１のスイッチは、前記第２のスイッチが前記アップリンク回路を前記第１のスイッチに接続するとき、前記第１のインタフェースを前記ダウンリンク回路又は前記アップリンク回路に接続するように構成された、
請求項１に記載の通信システム。
【請求項３】
前記第１の装置が、さらに、
前記第１のインタフェースを介して受信される無線周波数信号について監視するように構成された検出器回路
を含み、
無線周波数信号が前記第１のインタフェースを介して受信されると、前記検出器回路が前記スイッチ・コントローラに、前記第１のインタフェースが前記ダウンリンク回路に接続されるように前記第１のスイッチが切り替えられなければならないことを示す信号を渡す、
請求項２に記載の通信システム。
【請求項４】
前記検出器回路が、
前記第１のインタフェースで受信された無線周波信号の部分を分離するように構成された方向性結合器と、
前記方向性結合器に接続され、伝搬する前記無線周波数信号の前記分離部分を増幅するように構成された増幅器と、
前記分離部分の振幅が閾値振幅レベルを超えない限り、前記増幅された分離部分の伝搬を遮るように構成された検出器と、
を含む、請求項３に記載の通信システム。
【請求項５】
前記第１の装置が、さらに
前記第１のインタフェースに接続され、所望される周波数帯を選択するように構成された第１の帯域通過フィルタと、
前記第３のインタフェースに接続され、所望される周波数帯を選択するように構成された第２の帯域通過フィルタと、
を含む、請求項２に記載の通信システム。
【請求項６】
オリジナル無線周波数信号を上流装置から受信するように作動する第１のインタフェースであって、再生無線周波数信号を前記上流装置に送信するようにさらに作動する前記第１のインタフェースと、
再生無線周波数信号を前記上流装置に送信するように作動する第２のインタフェースと、
前記オリジナル無線周波数信号を、前記オリジナル無線周波数信号を再生し、下流装置に出力するように作動する第２の装置にトランスポートするためのトランスポート信号を生成するように作動する第１の回路と、
前記第１のインタフェースおよび前記第２のインタフェースのうちの１つを介して前記上流装置に伝送するために、前記第２の装置から受信される信号に基づく前記再生無線周波数信号を生成するように作動する第２の回路と、
前記第１のインタフェースを、前記第１の回路および前記第２の回路のうちの１つに接続するように作動する第１のスイッチと、
前記第２の回路を、前記第１のスイッチおよび前記第２のインタフェースのうちの１つに接続するように作動する第２のスイッチと、
前記第１のスイッチおよび前記第２のスイッチの切り替えを制御するように作動するスイッチ・コントローラと、
を備え、
前記第１のスイッチは、前記第２のスイッチが前記第２の回路を前記第２のインタフェースに接続するとき、前記第１のインタフェースを前記第１の回路のみに接続するように構成され、
前記第１のスイッチは、前記第２のスイッチが前記第２の回路を前記第１のスイッチに接続するとき、前記第１のインタフェースを前記第１の回路又は前記第２の回路に接続するように構成された、
通信装置。
【請求項７】
前記通信装置が、さらに、
前記第１のインタフェースを介して受信される無線周波数信号について監視するように構成された検出器回路
を含み、
無線周波数信号が、前記第１のインタフェースを介して受信されるときに、前記検出器回路が前記スイッチ・コントローラに、前記第１のインタフェースが前記ダウンリンク回路に接続されるように前記第１のスイッチが切り替えられなければならないことを示す信号を渡す、
請求項６に記載の通信装置。
【請求項８】
前記検出器回路が、
前記第１のインタフェースで受信される無線周波数信号の部分を分離するように構成された方向性結合器と、
方向性結合器に接続され、伝搬する前記無線周波数の前記分離部分を増幅するように構成された増幅器と、
前記分離部分の前記振幅が、閾値振幅レベルを超えない限り、前記増幅された分離部分の伝搬を遮るように構成された検出器と、
を含む、請求項７に記載の通信装置。
【請求項９】
前記通信装置が、さらに、
前記第１のインタフェースに接続され、所望される周波数帯を選択するように構成された第１の帯域通過フィルタと、
前記第２のインタフェースに接続され、所望される周波数帯を選択するように構成された第２の帯域通過フィルタと、
を含む、請求項７に記載の通信装置。
【請求項１０】
通信装置の前記運用モードを構成する方法であって、
前記所望される運用モードを示す制御信号を生成することと、
前記制御信号が、前記所望される運用モードが複信モードであることを示すと、
オリジナル無線周波数信号を第２の装置にトランスポートするためのトランスポート信号を生成するように作動する第１の回路と、再生無線周波数信号を生成するように作動する第２の回路の間で第１のスイッチを切り替え、前記第１の回路および前記第２の回路を第１のインタフェースに接続することと、
第２のスイッチを切り替えて、前記第２の回路を前記第１のスイッチに接続することと、
前記制御信号が、前記所望される運用モードが単信モードであることを示すと、
前記第１のスイッチを切り替え、前記第１の回路を前記第１のインタフェースに接続することと、
前記第２のスイッチを切り替え、前記第２の回路を第２のインタフェースに接続することと、
を含む方法。
【請求項１１】
前記第１の回路と前記第２の回路の間で前記第１のスイッチを切り替えることが、
前記第１のインタフェースを介して受信される前記オリジナル無線周波数信号について監視することと、
オリジナル無線周波数信号が検出されると、前記第１のスイッチを切り替え、前記第１の回路を前記第１のインタフェースに接続することと、
オリジナル無線周波数信号が検出されないと、前記第１のスイッチを切り替え、前記第２の回路を前記第１のインタフェースに接続することと、
を含む、請求項１０に記載の方法。
【請求項１２】
前記オリジナル無線周波数信号を監視することが、
前記オリジナル無線周波数信号の部分を分離することと、
前記オリジナル無線周波数信号の前記分離部分を増幅することと、
前記分離部分の前記振幅が閾値レベルを超える場合、前記オリジナル無線周波数信号の前記増幅した分離部分をスイッチ・コントローラに渡すことと、
を含む、請求項１１に記載の方法。
【請求項１３】
制御信号を生成することが、
前記通信装置のインストール中にユーザ入力に基づいて制御信号を生成することと、
を含む、請求項１０に記載の方法。